(57)【特許請求の範囲】
【請求項１】
記憶素子と、前記記憶素子をバッテリーバックアップする電池と、マイコンとを基板に備えた燃料電池装置と、前記燃料電池装置とネットワークで接続され前記燃料電池装置を管理する管理装置とを備え、前記管理装置は、前記燃料電池装置毎の電源入り回数を記憶する書き換え可能な電源入り回数記憶手段と、前記電源入り回数記憶手段に記憶された電源入り回数を書き換える場合に操作する操作手段とを備え、前記電源入り回数記憶手段に電源入り回数が０回と記憶された燃料電池装置で交換された新しい基板の前記マイコンは、前記基板交換後に電源が入ると、前記管理装置との通信により電源入り回数が０回であることを知り、前記記憶素子のデータを初期化すると共に前記管理装置に対し前記電源入り回数記憶手段に記憶された前記電源入り回数を１回増やすよう信号を送る燃料電池システム。
【発明の詳細な説明】
【技術分野】
【０００１】
本発明は、運転データを記憶する燃料電池システムに関するものである。
【背景技術】
【０００２】
従来の燃料電池システムは、使用者の家庭における電力負荷と熱負荷（温水消費量）を時刻帯別に検出して、例えば１週間連続で検出し電力負荷予測手段と温水消費量予測手段の記憶部に記憶し、平均化することで、１日の時刻帯別電力負荷モデルパターンと時刻帯別温水消費量モデルパターンを予測する。この各モデルパターンも記憶部に記憶している。なお、停電時においても記憶部を不揮発性メモリで構成することで停電等によるデータの消失がないので停電復帰後においても最初から各モデルパターンを予測することなく運転を再開する（例えば、特許文献１参照）。
【先行技術文献】
【特許文献】
【０００３】
【特許文献１】特開２００５−３８６７６号公報
【発明の概要】
【発明が解決しようとする課題】
【０００４】
しかしながら、上記従来の学習機能を搭載した燃料電池システムでは、システムのデータ履歴を蓄積しなければならない。蓄積手段として不揮発性メモリを用いる方法があるが、不揮発性メモリに蓄積する場合は書き込み回数の制約があるため、アクセス数を制限して書き込める寿命を延ばさなければならない。その為に不揮発性メモリに書き込む際に一時的に小容量のＲＡＭに蓄積する方法があるが、この方法では停電があった場合にＲＡＭ上のデータが消失する課題がある。
【０００５】
この課題を解決するために大容量のＲＡＭを用いてＲＡＭを電池でバッテリーバックアップする方法があるが、この方法ではメンテナンス時、基板を交換する際に、交換後初めて電源を入れることを基板に入力しＲＡＭデータを初期化しなければＲＡＭの不定値の為に誤動作を起こしたりする課題があった。２回目以降の電源入り時にはデータ履歴を蓄積するためＲＡＭを初期化できないからである。
【０００６】
本発明は、上記従来の課題に鑑み、基板を交換する場合に、新しい基板の記憶素子のデータの初期化を実施する確実性を高めた燃料電池システムを提供することを目的とする。
【課題を解決するための手段】
【００１０】
上記目的を達成するために第１の発明の燃料電池システムは、記憶素子と、前記記憶素
子をバッテリーバックアップする電池と、マイコンとを基板に備えた燃料電池装置と、前記燃料電池装置とネットワークで接続され前記燃料電池装置を管理する管理装置とを備え、前記管理装置は、前記燃料電池装置毎の電源入り回数を記憶する書き換え可能な電源入り回数記憶手段と、前記電源入り回数記憶手段に記憶された電源入り回数を書き換える場合に操作する操作手段とを備え、前記電源入り回数記憶手段に電源入り回数が０回と記憶された燃料電池装置で交換された新しい基板の前記マイコンは、前記基板交換後に電源が入ると、前記管理装置との通信により電源入り回数が０回であることを知り、前記記憶素子のデータを初期化すると共に前記管理装置に対し前記電源入り回数記憶手段に記憶された前記電源入り回数を１回増やすよう信号を送るように構成されている。
【００１１】
これにより、基板を交換する場合に、新しい基板の記憶素子のデータの初期化を実施する確実性を高めることができる。
【発明の効果】
【００１２】
本発明によれば、基板を交換する場合に、新しい基板の記憶素子のデータの初期化を実施する確実性を高めることができる。
【図面の簡単な説明】
【００１３】
【図１】本発明の実施の形態１における燃料電池システムの概略構成図
【図２】同実施の形態の燃料電池システムにおける記憶素子の初期化の手順を示すフローチャート
【図３】本発明の実施の形態２における燃料電池システムの概略構成図
【図４】同実施の形態の燃料電池システムにおける記憶素子の初期化の手順を示すフローチャート
【図５】本発明の実施の形態３における燃料電池システムの概略構成図
【図６】同実施の形態の燃料電池システムにおける記憶素子の初期化の手順を示すフローチャート
【図７】本発明の実施の形態４における燃料電池システムの概略構成図
【発明を実施するための形態】
【００１４】
第１の発明は、記憶素子と、前記記憶素子をバッテリーバックアップする電池と、初期入力時を知らせるボタンと、マイコンとを基板に備え、前記マイコンは、前記ボタンが操作されると前記記憶素子のデータを初期化する燃料電池システムである。
【００１５】
上記構成において、燃料電池システムの基板を交換した作業者は、交換された新しい基板のボタンを操作する。すると、マイコンは、新しい基板のボタンが操作されたことを検知して記憶素子のデータを初期化する。
【００１６】
そのため、燃料電池システムの基板を交換した作業者が、交換された新しい基板のボタンを操作するというルール（手順）を守る限り、新しい基板の記憶素子のデータの初期化が行われることになり、基板を交換する場合に、新しい基板の記憶素子のデータの初期化を実施する確実性を高めることができる。
【００１７】
第２の発明は、記憶素子と、前記記憶素子をバッテリーバックアップする電池と、マイコンと、前記マイコンと接続されユーザまたはサービスマンが入力操作可能な入力部と、前記マイコンと接続され表示を行う表示部とを基板に備え、前記マイコンは、前記入力部で所定の操作がされると前記記憶素子のデータを初期化する燃料電池システムである。
【００１８】
上記構成において、燃料電池システムの基板を交換した作業者は、交換された新しい基板の入力部で所定の操作をする。すると、新しい基板の入力部で所定の操作が行われたことをマイコンが検知して記憶素子のデータを初期化する。
【００１９】
そのため、燃料電池システムの基板を交換した作業者が、交換された新しい基板の入力部で所定の操作をするというルール（手順）を守る限り、新しい基板の記憶素子のデータの初期化が行われることになり、基板を交換する場合に、新しい基板の記憶素子のデータの初期化を実施する確実性を高めることができる。
【００２０】
第３の発明は、記憶素子と、前記記憶素子をバッテリーバックアップする電池と、マイコンと、前記マイコンに接続端子を介して接続された電源入り回数記憶用の外部記憶装置とを基板に備え、前記マイコンは、電源が入る度に前記外部記憶装置に記憶された前記電源入り回数を確認すると共に前記外部記憶装置に記憶された前記電源入り回数を１回増やし、確認した前記電源入り回数が０回であれば前記記憶素子のデータを初期化する燃料電池システムである。
【００２１】
上記構成において、交換前に、交換用の新しい基板の外部記憶装置の電源入り回数を０回にしておく。作業者は、燃料電池システムの電源を切った状態で、旧い基板を新しい基板に交換し、次に、燃料電池システムの電源を入れる。すると、マイコンは、起動後に外部記憶装置に記憶された電源入り回数を確認する。そして、マイコンは、外部記憶装置に記憶された電源入り回数が０回であることを検知し、記憶素子のデータを初期化し、外部記憶装置に記憶された電源入り回数を１回増やす。
【００２２】
なお、マイコンは、燃料電池システムの電源が入る度に、外部記憶装置に記憶された電源入り回数を確認し、外部記憶装置に記憶された電源入り回数が１回以上であれば、記憶素子のデータの初期化は行わずに外部記憶装置に記憶された電源入り回数を１回増やす。
【００２３】
そのため、交換用の新しい基板には電源入り回数が０回と記憶された外部記憶装置を接続しておくというルール（手順）を守る限り、新しい基板の記憶素子のデータの初期化が行われることになり、基板を交換する場合に、新しい基板の記憶素子のデータの初期化を実施する確実性を高めることができる。
【００２４】
第４の発明は、記憶素子と、前記記憶素子をバッテリーバックアップする電池と、マイコンとを基板に備えた燃料電池装置と、前記燃料電池装置とネットワークで接続され前記燃料電池装置を管理する管理装置とを備え、前記管理装置は、前記燃料電池装置毎の電源入り回数を記憶する書き換え可能な電源入り回数記憶手段と、前記電源入り回数記憶手段に記憶された電源入り回数を書き換える場合に操作する操作手段とを備え、前記電源入り回数記憶手段に電源入り回数が０回と記憶された燃料電池装置で交換された新しい基板の前記マイコンは、前記基板交換後に電源が入ると、前記管理装置との通信により電源入り回数が０回であることを知り、前記記憶素子のデータを初期化すると共に前記管理装置に対し前記電源入り回数記憶手段に記憶された前記電源入り回数を１回増やすよう信号を送る燃料電池システムである。
【００２５】
上記構成において、電源入り回数記憶手段に電源入り回数が０回と記憶された燃料電池装置で交換された新しい基板のマイコンは、基板交換後に電源が入ると、管理装置との通信により電源入り回数が０回であることを知り、記憶素子のデータを初期化すると共に管理装置に対し電源入り回数記憶手段に記憶された電源入り回数を１回増やすよう信号を送る。そして、管理装置は、電源入り回数を１回増やすよう信号を送ってきた燃料電池装置に対応する電源入り回数記憶手段の電源入り回数を１回増やす。
【００２６】
そのため、管理装置において、予め基板を交換する燃料電池装置に対応する電源入り回数記憶手段の電源入り回数を０回にしておくというルール（手順）を守る限り、新しい基板の記憶素子のデータの初期化が行われることになり、基板を交換する場合に、新しい基板の記憶素子のデータの初期化を実施する確実性を高めることができる。
【００２７】
以下に、本発明の燃料電池システムの実施の形態について、図面を参照して説明する。なお、この実施の形態によって本発明が限定されるものではない。
【００２８】
（実施の形態１）
図１は本発明の実施の形態１における燃料電池システムの概略構成図である。図１に示すように、本実施の形態の燃料電池システム１２０は、ＲＡＭからなる記憶素子１０１と、記憶素子１０１をバッテリーバックアップする電池１０３と、初期入力時を知らせるボタン１０４と、ボタン１０４が操作されると記憶素子１０１のデータを初期化するように設定されたマイコン１０２とを備えた基板１２１を有し、基板１２１は、燃料電池システム１２０を制御するＦＣ制御装置１０５に接続されている。
【００２９】
図２は本実施の形態の燃料電池システム１２０における記憶素子１０１の初期化の手順を示すフローチャートである。以下、図１と図２を参照しながら、本実施の形態の燃料電池システムにおける記憶素子１０１の初期化の手順を説明する。
【００３０】
燃料電池システム１２０のメンテナンスで基板１２１を交換する場合、作業者は、燃料電池システム１２０の電源を切った状態で、旧い基板１２１を新しい基板１２１に交換し（Ｓ１０１）、次に、燃料電池システム１２０の電源を入れ（Ｓ１０２）、新しい基板１２１のマイコン１０２が起動してから、ボタン１０４を操作する（Ｓ１０３）。すると、マイコン１０２は、新しい基板１２１のボタン１０２が操作されたことを検知して、記憶素子１０１のデータを初期化する（Ｓ１０４）。
【００３１】
以上のように本実施の形態の燃料電池システム１２０は、記憶素子１０１と、記憶素子１０１をバッテリーバックアップする電池１０３と、初期入力時を知らせるボタン１０４と、マイコン１０２とを基板１２１に備え、マイコン１０２は、ボタン１０４が操作されると記憶素子１０１のデータを初期化するように構成されているので、燃料電池システム１２０の基板１２１を交換した作業者が、交換された新しい基板１２１のボタン１０４を操作するというルール（手順）を守る限り、新しい基板１２１の記憶素子１０１のデータの初期化が行われることになり、基板１２１を交換する場合に、新しい基板１２１の記憶素子１０１のデータの初期化を実施する確実性を高めることができる。
【００３２】
なお、ボタン１０２またはボタン１０２の近くに、基板１２１交換後に操作することを促す表示をしておくことが好ましい。
【００３３】
（実施の形態２）
図３は本発明の実施の形態２における燃料電池システムの概略構成図である。なお、本実施の形態において、実施の形態１と同一構成については、同一符号を付して、その詳細な説明は省略する。
【００３４】
図３に示すように、本実施の形態の燃料電池システム１２０は、ＲＡＭからなる記憶素子１０１と、記憶素子１０１をバッテリーバックアップする電池１０３と、マイコン１０２と、マイコン１０２と接続されユーザまたはサービスマンが入力操作可能な入力部１０６と、マイコン１０２と接続され入力部１０６の入力を支援する表示を行う表示部１０７とを備えた基板１２１を有し、基板１２１は、燃料電池システム１２０を制御するＦＣ制御装置１０５に接続されている。なお、マイコン１０２は、入力部１０６で所定の操作がされると記憶素子１０１のデータを初期化するように設定されている。
【００３５】
図４は本実施の形態の燃料電池システム１２０における記憶素子１０１の初期化の手順を示すフローチャートである。以下、図３と図４を参照しながら、本実施の形態の燃料電池システムにおける記憶素子１０１の初期化の手順を説明する。
【００３６】
本実施の形態では、入力部が０−９の数字キーと＃キーからなり、所定の操作は、トップ画面で＃キーを１０秒長押しすることである。
【００３７】
燃料電池システム１２０のメンテナンスで基板１２１を交換する場合、作業者は、燃料電池システム１２０の電源を切った状態で、旧い基板１２１を新しい基板１２１に交換し（Ｓ２０１）、次に、燃料電池システム１２０の電源を入れ（Ｓ２０２）、新しい基板１２１のマイコン１０２が起動してから、表示部１０７の表示を見ながら入力部１０６を操作して、トップ画面で＃キーを１０秒長押しをする（Ｓ２０３）。すると、マイコン１０２は、トップ画面で＃キーを１０秒長押しされたことを検知して、記憶素子１０１のデータを初期化する（Ｓ２０４）。
【００３８】
以上のように本実施の形態の燃料電池システム１２０は、記憶素子１０１と、記憶素子１０１をバッテリーバックアップする電池１０３と、マイコン１０２と、マイコン１０２と接続されユーザまたはサービスマンが入力操作可能な０−９の数字キーと＃キーからなる入力部１０６と、マイコン１０２と接続され入力部１０６の入力を支援する表示を行う表示部１０７とを基板１２１に備え、マイコン１０２は、入力部１０６で所定の操作（トップ画面で＃キーを１０秒長押し）がされると記憶素子１０１のデータを初期化するように構成されているので、燃料電池システム１２０の基板１２１を交換した作業者が、交換された新しい基板１２１の入力部１０６で所定の操作をするというルール（手順）を守る限り、新しい基板１２１の記憶素子１０１のデータの初期化が行われることになり、基板１２１を交換する場合に、新しい基板１２１の記憶素子１０１のデータの初期化を実施する確実性を高めることができる。
【００３９】
なお、入力部１０６は、表示部１０７に表示されるものであっても、入力部１０６とは独立したものであっても構わない。また、本実施の形態では、表示部１０７に表示される画面と操作の組み合わせの例を示したが、表示部１０７の表示画面に関係なく入力部１０６での操作にしても構わない。
【００４０】
（実施の形態３）
図５は本発明の実施の形態３における燃料電池システムの概略構成図である。なお、本実施の形態において、実施の形態１または実施の形態２と同一構成については、同一符号を付して、その詳細な説明は省略する。
【００４１】
図５に示すように、本実施の形態の燃料電池システム１２０は、ＲＡＭからなる記憶子１０１と、記憶素子１０１をバッテリーバックアップする電池１０３と、マイコン１０２と、マイコン１０２に接続端子１２２を介して接続可能な電源入りの回数を記憶用の外部記憶装置１０８とを備えた基板１２１を有し、基板１２１は、燃料電池システム１２０を制御するＦＣ制御装置１０５に接続されている。なお、マイコン１０２は、燃料電池システム１２０の電源が入る度に、外部記憶装置１０２に記憶された電源入り回数を確認し、電源入り回数が０回であるのを確認すると、記憶素子１０１のデータを初期化すると共に外部記憶装置１０８に記憶された電源入り回数を１回増やし、電源入り回数が１回以上であるのを確認すると、記憶素子１０１のデータの初期化は行わずに外部記憶装置１０８に記憶された電源入り回数を１回増やすように設定されている。
【００４２】
図６は本実施の形態の燃料電池システム１２０における記憶素子１０１の初期化の手順を示すフローチャートである。以下、図５と図６を参照しながら、本実施の形態の燃料電池システムにおける記憶素子１０１の初期化の手順を説明する。
【００４３】
まず、事前に、交換用の新しい基板１２１の外部記憶装置１０８の電源入り回数を０回にしておく（Ｓ３０１）。作業者は、燃料電池システム１２０の電源を切った状態で、旧い基板１２１を新しい基板１２１に交換し（Ｓ３０２）、次に、燃料電池システム１２０の電源を入れる（Ｓ３０３）。すると、マイコン１０２は、起動後に外部記憶装置１０２に記憶された電源入り回数を確認する。そして、マイコン１０２は、外部記憶装置１０２に記憶された電源入り回数が０回であることを検知し（Ｓ３０５）、記憶素子１０１のデータを初期化し（Ｓ３０６）、外部記憶装置１０２に記憶された電源入り回数を１回増やす（Ｓ３０７）。
【００４４】
なお、マイコン１０２は、燃料電池システム１２０の電源が入る度に、外部記憶装置１０２に記憶された電源入り回数を確認し、外部記憶装置１０２に記憶された電源入り回数が１回以上であれば、記憶素子１０１のデータの初期化は行わずに外部記憶装置１０８に記憶された電源入り回数を１回増やす。
【００４５】
以上のように本実施の形態の燃料電池システム１２０は、記憶素子１０１と、記憶素子１０１をバッテリーバックアップする電池１０３と、マイコン１０２と、マイコン１０２に接続端子１２２を介して接続された電源入り回数記憶用の外部記憶装置１０８とを基板１２１に備え、マイコン１０２は、電源が入る度に外部記憶装置１０８に記憶された電源入り回数を確認すると共に外部記憶装置１０８に記憶された電源入り回数を１回増やし、確認した電源入り回数が０回であれば記憶素子１０１のデータを初期化するように構成されているので、交換用の新しい基板１２１には電源入り回数が０回と記憶された外部記憶装置１０８を接続しておくというルール（手順）を守る限り、新しい基板１２１の記憶素子１０１のデータの初期化が行われることになり、基板１２１を交換する場合に、新しい基板１２１の記憶素子１０１のデータの初期化を実施する確実性を高めることができる。
【００４６】
なお、交換用の新しい基板１２１の外部記憶装置１０８の電源入り回数を０回にする作業は、予め、電源入り回数が０回と記憶された外部記憶装置１０８を交換用の新しい基板１２１の接続端子１２２に接続するものであっても、交換用の新しい基板１２１には予め電源入り回数が０回と記憶された外部記憶装置１０８が接続されているのであっても構わない。
【００４７】
（実施の形態４）
図７は本発明の実施の形態４における燃料電池システムの概略構成図である。なお、本実施の形態において、実施の形態１から実施の形態３と同一構成については、同一符号を付して、その詳細な説明は省略する。
【００４８】
図７に示すように、本実施の形態の燃料電池システムは、ＲＡＭからなる記憶子１０１と、記憶素子１０１をバッテリーバックアップする電池１０３と、マイコン１０２とを基板１２１に備えた燃料電池装置１２０ａと、燃料電池装置１２０ａとネットワーク１０９で接続され燃料電池装置１２０ａを管理する管理装置１１０とを備え、管理装置１１０は、燃料電池装置１２０ａ毎の電源入り回数を記憶する書き換え可能な電源入り回数記憶手段１１１と、電源入り回数記憶手段１１１に記憶された電源入り回数を書き換える場合に操作する操作手段１１２とを備え、基板１２１は、燃料電池電池装置１２０ａを制御するＦＣ制御装置１０５に接続されている。そして、電源入り回数記憶手段１１１に電源入り回数が０回と記憶された燃料電池装置１２０ａで交換された新しい基板１２１のマイコン１０２は、基板１２１交換後に電源が入ると、管理装置１１０との通信により電源入り回数が０回であることを知り、記憶素子１０１のデータを初期化すると共に管理装置１１０に対し電源入り回数記憶手段１１１に記憶された電源入り回数を１回増やすよう信号を送るように構成されている。
【００４９】
作業者は、基板１２１交換前に、管理装置１１０で操作手段１１２を用いて、各燃料電池装置１２０ａにユニークな番号と、電源入り回数として０を電源入り回数記憶手段１１１に入力しておく。基板１２１交換え後に燃料電池装置１２０ａに電源投入され、マイコン１０２が起動後、マイコン１０２はネットワーク１０９を介して管理装置１１０にアクセスし、管理装置１１０に対してユニークな番号を送信する。ユニークな番号を送られた管理装置１１０は、燃料電池装置１２０ａの電源入り回数を燃料電池装置１２０ａに送信する。燃料電池装置１２０ａは電源入り回数を受信し電源入り回数が０であれば、記憶素子１０１を初期化する。
【００５０】
上記構成において、電源入り回数記憶手段１１１に電源入り回数が０回と記憶された燃料電池装置１２０ａで交換された新しい基板１２１のマイコン１０２は、基板１２１交換後に電源が入ると、管理装置１１０との通信により電源入り回数が０回であることを知り、記憶素子１０１のデータを初期化すると共に管理装置１１０に対し電源入り回数記憶手段１１１に記憶された電源入り回数を１回増やすよう信号を送る。そして、管理装置１１０は、電源入り回数を１回増やすよう信号を送ってきた燃料電池装置１２０ａに対応する電源入り回数記憶手段１１１の電源入り回数を１回増やす。
【００５１】
そのため、管理装置１１０において、予め基板１２１を交換する燃料電池装置１２０ａに対応する電源入り回数記憶手段１１１の電源入り回数を０回にしておくというルール（手順）を守る限り、新しい基板１２１の記憶素子１０１のデータの初期化が行われることになり、基板１２１を交換する場合に、新しい基板１２１の記憶素子１０１のデータの初期化を実施する確実性を高めることができる。
【産業上の利用可能性】
【００５２】
本発明の燃料電池システムは、基板を交換する場合に、新しい基板の記憶素子のデータの初期化を実施する確実性を高めることができるので、ＲＡＭのようにバッテリーバックアップが必要な記憶素子に履歴データを蓄積している燃料電池システムに適している。また、本発明は、燃料電池システムに限らず、機器寿命が約１０年以上と長いために機器寿命までに基板交換を行う可能性があり、バッテリーバックアップが必要な記憶素子に履歴データを蓄積しているシステムにも適用可能である。
【符号の説明】
【００５３】
１０１  記憶素子
１０２  マイコン
１０３  電池
１０４  ボタン
１０６  入力部
１０７  表示部
１０８  外部記憶装置
１０９  インターネット
１１０  管理装置
１１１  電源入り回数記憶手段
１１２  操作手段
１２０  燃料電池システム
１２０ａ  燃料電池装置
１２１  基板
１２２  接続端子
【図１】
0005533013.tif 000002
【図２】
0005533013.tif 000003
【図３】
0005533013.tif 000004
【図４】
0005533013.tif 000005
【図５】
0005533013.tif 000006
【図６】
0005533013.tif 000007
【図７】
0005533013.tif 000008